(57)【要約】【課題】フレームの内部で導光板が動くことに起因する不具合の発生を抑制することが可能なバックライトユニットを提供する。【解決手段】このバックライトユニット２は、点状光源２１からの光が入射される導光板２２と、導光板２２が内部に配置されるバックライトフレーム２４と、バックライトフレーム２４に設けられた押圧部材２８とを備えている。そして、バックライトフレーム２４の内部に配置される導光板２２は、押圧部材２８により押圧された状態でバックライトフレーム２４の内部に保持される。【選択図】図２
2008078010.tif 000002
【特許請求の範囲】
【請求項１】
光源からの光が入射される導光板と、
前記導光板が内部に配置されるフレームと、
前記フレームに設けられた押圧部材とを備え、
前記フレームの内部に配置される前記導光板は、前記押圧部材により押圧された状態で
前記フレームの内部に保持されることを特徴とするバックライトユニット。
【請求項２】
前記フレームには、少なくとも２つの前記押圧部材が設けられており、
前記フレームの内部に配置される前記導光板は、前記少なくとも２つの押圧部材により
押圧されていることを特徴とする請求項１に記載のバックライトユニット。
【請求項３】
前記少なくとも２つの押圧部材は、前記導光板を挟んで互いに対向するように同一線上
に配置されていることを特徴とする請求項２に記載のバックライトユニット。
【請求項４】
前記フレームは、前記導光板と当接する当接部を有し、
前記導光板と前記フレームの当接部とが当接することによって、前記導光板と前記光源
との間の間隔が設定値の許容範囲内となり、
前記導光板が前記押圧部材により押圧されることによって、前記導光板と前記フレーム
の当接部とが当接した状態に保持されることを特徴とする請求項１〜３のいずれかに記載
のバックライトユニット。
【請求項５】
前記導光板は、前記光源から出射される光を線状にするための第１導光板と、前記第１
導光板から出射される線状の光を面状にするための第２導光板とを含み、
前記第１導光板および前記第２導光板の両方が、前記押圧部材により押圧されているこ
とを特徴とする請求項１〜４のいずれかに記載のバックライトユニット。
【請求項６】
前記押圧部材は、弾性変形可能なラバーからなるとともに、前記押圧部材に弾性力が発
生するように前記フレームと前記導光板との間に挟み込まれていることを特徴とする請求
項１〜５のいずれかに記載のバックライトユニット。
【請求項７】
前記ラバーからなる押圧部材には、凹部および凸部の一方が形成されているとともに、
前記導光板には、前記凹部および前記凸部の他方が形成されており、
前記ラバーからなる押圧部材の凹部および凸部の一方が前記導光板の凹部および凸部の
他方に嵌め込まれることによって、前記ラバーからなる押圧部材が前記導光板に対して固
定されていることを特徴とする請求項６に記載のバックライトユニット。
【請求項８】
前記押圧部材は、弾性変形可能なように前記フレームに一体的に形成されており、
前記導光板は、前記フレームに一体的に形成された押圧部材の弾性力により押圧されて
いることを特徴とする請求項１〜５のいずれかに記載のバックライトユニット。
【請求項９】
請求項１〜８のいずれかに記載のバックライトユニットを用いたことを特徴とする表示
装置。
【発明の詳細な説明】
【技術分野】
【０００１】
この発明は、バックライトユニットおよびそれを用いた表示装置に関し、特に、導光板
を備えたバックライトユニットおよびそれを用いた表示装置に関する。
【背景技術】
【０００２】
従来、液晶の光学的性質の変化を利用して表示を行う液晶表示装置などの表示装置が知
られている。従来の表示装置としての液晶表示装置では、液晶表示パネルの後面側から液
晶表示パネルに対して光が照射されることにより、文字や画像などが表示されるように構
成されている。すなわち、上記した従来の液晶表示装置では、液晶表示パネルの後面側に
、光を生成するための光源（ＬＥＤ（発光ダイオード）や蛍光管など）を含むバックライ
トユニットが設けられている。
【０００３】
上記した従来の液晶表示装置に用いられるバックライトユニットは、一般的に、光源か
ら出射された光を液晶表示パネル側に導くための導光板を含んでいる（たとえば、特許文
献１参照）。図１２は、上記特許文献１に開示された従来の液晶表示装置に用いられるバ
ックライトユニットの構造を示した平面図である。図１２を参照して、従来の液晶表示装
置に用いられるバックライトユニットは、コの字状に形成されたモールドフレーム１０１
の内部に導光板１０２が配置された構造を有している。また、コの字状のモールドフレー
ム１０１の開放端側には、リフレクタ１０３によって覆われた光源（棒状の蛍光管）１０
４が配置されている。なお、光源１０４から出射された光は、導光板１０２によって面状
の光に変換されて液晶表示パネル（図示せず）側に導かれる。
【０００４】
また、導光板１０２の側端面には、凸状のリブ部１０２ａが設けられているとともに、
モールドフレーム１０１の内側面には、導光板１０２の凸状のリブ部１０２ａが収納され
る凹状の収納部１０１ａが設けられている。そして、モールドフレーム１０１の内部に配
置された導光板１０２は、その凸状のリブ部１０２ａがモールドフレーム１０１の凹状の
収納部１０１ａに嵌め込まれることによってモールドフレーム１０１に支持されている。
【０００５】
【特許文献１】特開２００１−２１８８２号公報
【発明の開示】
【発明が解決しようとする課題】
【０００６】
しかしながら、図１２に示した従来の構造では、バックライトユニットを構成する部材
の公差や組立性などを考慮すると、モールドフレーム１０１のリブ部１０１ａと導光板１
０２の収納部１０２ａとの間に間隔Ｇ１００を設ける必要がある。このため、振動が激し
い環境下で液晶表示装置を使用する場合には、間隔Ｇ１００を設けた分だけモールドフレ
ーム１０１の内部で導光板１０２が動くので、モールドフレーム１０１の内部において導
光板１０２の位置ずれが発生するという不都合が生じる。この場合、振動が収まったとし
ても、導光板１０２は、振動前の位置には戻らない。これにより、導光板１０２と光源１
０４との間の間隔が設定値から外れることに起因して、輝度が変化するという問題点があ
る。特に、光源としてＬＥＤを用いる場合には、導光板１０２と光源１０４との間の間隔
が設定値から約０．１ｍｍ外れるだけで輝度が約１０％も変化してしまう。
【０００７】
また、モールドフレーム１０１の内部で導光板１０２が動いた場合には、導光板１０２
が光源１０４に接触するという不都合が生じる場合がある。この場合には、導光板１０２
が光源１０４に接触することに起因して、光源１０４が破損するという問題点がある。さ
らに、モールドフレーム１０１の内部で導光板１０２が動いた場合には、導光板１０２と
モールドフレーム１０１とが擦れるという不都合が生じる。この場合には、導光板１０２
とモールドフレーム１０１とが擦れることに起因して、導光板１０２が摩耗し、かつ、異
音が発生するという問題点がある。
【０００８】
この発明は、上記のような課題を解決するためになされたものであり、この発明の１つ
の目的は、フレームの内部で導光板が動くことに起因する不具合の発生を抑制することが
可能なバックライトユニットを提供することである。
【０００９】
この発明のもう１つの目的は、フレームの内部で導光板が動くことに起因する不具合の
発生を抑制することが可能な表示装置を提供することである。
【課題を解決するための手段】
【００１０】
上記目的を達成するために、この発明の第１の局面によるバックライトユニットは、光
源からの光が入射される導光板と、導光板が内部に配置されるフレームと、フレームに設
けられた押圧部材とを備えている。そして、フレームの内部に配置される導光板は、押圧
部材により押圧された状態でフレームの内部に保持される。
【００１１】
この第１の局面によるバックライトユニットでは、上記のように、導光板が内部に配置
されるフレームに押圧部材を設けるとともに、フレームの内部に配置される導光板が押圧
部材により押圧された状態でフレームの内部に保持されるように構成することによって、
振動が激しい環境下で表示装置を使用したとしても、フレームの内部で導光板が動くのを
抑制することができるので、フレームの内部における導光板の位置ずれを抑制することが
できる。また、導光板に一時的な振動が生じたとしても、振動が収まれば、導光板が振動
前の位置に戻る。これにより、導光板と光源との間の間隔が設定値から外れることに起因
して、輝度が変化するという不都合が発生するのを抑制することができる。また、第１の
局面では、フレームの内部で導光板が動くのを抑制することができるので、導光板が光源
に接触することに起因する光源の破損も抑制することができる。さらに、第１の局面では
、フレームの内部で導光板が動くのを抑制することができるので、導光板とフレームとが
擦れることに起因する導光板の摩耗や異音の発生も抑制することができる。このように、
第１の局面では、フレームの内部で導光板が動くことに起因する不具合の発生を抑制する
ことができる。
【００１２】
上記第１の局面によるバックライトユニットにおいて、好ましくは、フレームには、少
なくとも２つの押圧部材が設けられており、フレームの内部に配置される導光板は、少な
くとも２つの押圧部材により押圧されている。このように構成すれば、導光板が少なくと
も２つの押圧部材により押圧されるので、フレームの内部で導光板が動くのをさらに抑制
することができる。
【００１３】
この場合、好ましくは、少なくとも２つの押圧部材は、導光板を挟んで互いに対向する
ように同一線上に配置されている。このように構成すれば、押圧部材により導光板が押圧
されたとしても、その押圧部材の押圧力により導光板が傾くように動くのを抑制すること
ができる。
【００１４】
上記第１の局面によるバックライトユニットにおいて、好ましくは、フレームは、導光
板と当接する当接部を有し、導光板とフレームの当接部とが当接することによって、導光
板と光源との間の間隔が設定値の許容範囲内となり、導光板が押圧部材により押圧される
ことによって、導光板とフレームの当接部とが当接した状態に保持される。このように構
成すれば、導光板を押圧部材により押圧することによって、容易に、導光板と光源との間
の間隔を設定値の許容範囲内にすることができる。
【００１５】
上記第１の局面によるバックライトユニットにおいて、好ましくは、導光板は、光源か
ら出射される光を線状にするための第１導光板と、第１導光板から出射される線状の光を
面状にするための第２導光板とを含み、第１導光板および第２導光板の両方が、押圧部材
により押圧されている。このように構成すれば、上記した２つの導光板（第１導光板およ
び第２導光板）を備えたバックライトユニットにおいて、容易に、導光板（第１導光板お
よび第２導光板）が動くことに起因する不具合の発生を抑制することができる。
【００１６】
上記第１の局面によるバックライトユニットにおいて、好ましくは、押圧部材は、弾性
変形可能なラバーからなるとともに、押圧部材に弾性力が発生するようにフレームと導光
板との間に挟み込まれている。このように構成すれば、容易に、押圧部材に発生した弾性
力により導光板を押圧することができる。
【００１７】
この場合、好ましくは、ラバーからなる押圧部材には、凹部および凸部の一方が形成さ
れているとともに、導光板には、凹部および凸部の他方が形成されており、ラバーからな
る押圧部材の凹部および凸部の一方が導光板の凹部および凸部の他方に嵌め込まれること
によって、ラバーからなる押圧部材が導光板に対して固定されている。このように構成す
れば、ラバーからなる押圧部材を用いる場合において、容易に、導光板に対して押圧部材
を固定することができる。
【００１８】
上記第１の局面によるバックライトユニットにおいて、好ましくは、押圧部材は、弾性
変形可能なようにフレームに一体的に形成されており、導光板は、フレームに一体的に形
成された押圧部材の弾性力により押圧されている。このように構成すれば、押圧部材を別
途設ける必要がないので、部品点数が増加するのを抑制することができる。
【００１９】
この発明の第２の局面による表示装置は、請求項１〜８のいずれかに記載のバックライ
トユニットを用いた表示装置である。このように構成すれば、フレームの内部で導光板が
動くことに起因する不具合の発生を抑制することが可能な表示装置を容易に得ることがで
きる。
【発明の効果】
【００２０】
以上のように、本発明によれば、フレームの内部で導光板が動くことに起因する不具合
の発生を抑制することが可能なバックライトユニットおよび表示装置を容易に得ることが
できる。
【発明を実施するための最良の形態】
【００２１】
（第１実施形態）
図１は、本発明の第１実施形態によるバックライトユニットを用いた液晶表示装置（表
示装置）の分解斜視図である。図２は、図１に示した第１実施形態によるバックライトユ
ニットを前面側から見た場合の平面図である（前面側フレームおよび光学シートを取り外
した状態）。まず、図１および図２を参照して、第１実施形態によるバックライトユニッ
トを用いた液晶表示装置（表示装置）の構造について説明する。
【００２２】
第１実施形態による液晶表示装置は、図１に示すように、液晶表示パネル１と、その液
晶表示パネル１の後面側に配置されたバックライトユニット２とを備えている。また、液
晶表示パネル１の前面側には、液晶表示パネル１の表示領域１ａを露出させるための開口
部３ａが形成された金属ケース３が配置されている。
【００２３】
また、バックライトユニット２は、液晶表示パネル１に対して後面側から面状の光を照
射するように構成されている。このバックライトユニット２は、ＦＰＣ（フレキシブルプ
リント配線板）２１ａに実装された複数の点状光源２１と、導光板２２と、光学シート２
３とを含んでいる。なお、点状光源２１は、本発明の「光源」の一例である。
【００２４】
点状光源２１は、図２に示すように、ＬＥＤ（発光ダイオード）からなるとともに、後
述する導光板２２の光入射面２２ａと対向するように配置されている。また、点状光源２
１と導光板２２の光入射面２２ａとの間には、点状光源２１と導光板２２との接触を抑制
するための間隔Ｇ１が設けられている。なお、点状光源２１と導光板２２の光入射面２２
ａとの間の間隔Ｇ１は、点状光源２１と導光板２２の光入射面２２ａとができるだけ接近
するように設定されている。
【００２５】
また、導光板２２は、アクリル樹脂などの透明材料からなるとともに、点状光源２１か
らの光を面状の光に変換して出射する機能を有している。この導光板２２は、所定の側端
面によって構成された光入射面２２ａと、前面側の表面によって構成された光出射面２２
ｂとを有している。また、導光板２２は、光入射面２２ａが点状光源２１と対向し、光出
射面２２ｂが液晶表示パネル１（図１参照）の後面側の表面と対向するように配置されて
いる。
【００２６】
また、図１に示すように、光学シート２３は、導光板２２からの光を拡散および集光す
る機能を有している。この光学シート２３は、複数のシート（拡散シートやレンズシート
など）からなるとともに、導光板２２の光出射面２２ｂ上に配置されている。なお、上記
した拡散シートやレンズシート以外のシートが光学シート２３に含まれていてもよい。
【００２７】
また、図１および図２に示すように、上記した点状光源２１、導光板２２および光学シ
ート２３は、バックライトフレーム２４の内部に収納されている。このバックライトフレ
ーム２４は、前面側フレーム２５と、後面側フレーム２６と、中枠フレーム２７とによっ
て構成されている。前面側フレーム２５は、導光板２２（光学シート２３）の前面側に配
置されている。また、後面側フレーム２６は、導光板２２の後面側に配置されている。ま
た、中枠フレーム２７は、後面側フレーム２６の内部に配置されている。なお、バックラ
イトフレーム２４は、本発明の「フレーム」の一例である。
【００２８】
前面側フレーム２５は、金属板からなるとともに、その金属板を後面側に向かって垂直
に折り曲げることによって形成された側部２５ａを有している。この前面側フレーム２５
の側部２５ａは、後述する後面側フレーム２６の側部２６ａの外側面に沿って配置されて
いる。また、前面側フレーム２５には、前面側に向かって進行する光を透過させるための
開口部２５ｂが形成されている。後面側フレーム２６は、金属板からなるとともに、その
金属板を前面側に向かって垂直に折り曲げることによって形成された側部２６ａを有して
いる。この後面側フレーム２６の側部２６ａは、上記したバックライトユニット２を構成
する部材（点状光源２１、導光板２２および光学シート２３）が収納される領域を囲むよ
うに配置されている。そして、点状光源２１が実装されたＦＰＣ２１ａは、後面側フレー
ム２６の所定の側部２６ａの内側面に取り付けられている。また、導光板２２は、後面側
フレーム２６の底部２６ｂ上に載置されている。中枠フレーム２７は、コの字形状を有す
る樹脂部材からなる。このコの字形状の中枠フレーム２７は、後面側フレーム２６の所定
の側部２６ａ（点状光源２１が取り付けられる側部２６ａ）以外の側部２６ａの内側面に
沿って延びるように形成されている。
【００２９】
ここで、第１実施形態では、図２に示すように、バックライトフレーム２４の内部に配
置される導光板２２は、弾性変形可能なラバーからなる２つの押圧部材２８により押圧さ
れた状態でバックライトフレーム２４の内部に保持されている。具体的には、２つの押圧
部材２８は、導光板２２を挟んで互いに対向するように同一線Ｌ１上に配置されている。
また、押圧部材２８は、図２中のＡ方向に弾性力が発生するように後面側フレーム２６の
側部２６ａと導光板２２との間に挟み込まれている。これにより、バックライトフレーム
２４の内部に配置された導光板２２は、押圧部材２８の弾性力によりＡ方向に押圧された
状態となっている。
【００３０】
また、第１実施形態の押圧部材２８には、凹部２８ａと、その凹部２８ａとは反対側に
配置された凸部２８ｂとが形成されている。また、導光板２２には、押圧部材２８の凹部
２８ａが嵌め込まれる凸部２２ｃが形成されているとともに、後面側フレーム２６の側部
２６ａには、押圧部材２８の凸部２８ｂが嵌め込まれる切り欠き部２６ｃが形成されてい
る。そして、押圧部材２８の凹部２８ａが導光板２２の凸部２２ｃに嵌め込まれることに
よって、押圧部材２８が導光板２２に対して固定されているとともに、押圧部材２８の凸
部２８ｂが後面側フレーム２６の切り欠き部２６ｃに嵌め込まれることによって、押圧部
材２８が後面側フレーム２６に対して固定されている。また、第１実施形態では、押圧部
材２８の凹部２８ａと導光板２２の凸部２２ｃとの間に嵌合隙間が存在しないように、押
圧部材２８の凹部２８ａが導光板２２の凸部２２ｃに嵌め込まれているとともに、押圧部
材２８の凸部２８ｂと後面側フレーム２６の切り欠き部２６ｃとの間に嵌合隙間が存在し
ないように、押圧部材２８の凸部２８ｂが後面側フレーム２６の切り欠き部２６ｃに嵌め
込まれている。
【００３１】
第１実施形態では、上記のように、バックライトフレーム２４の内部に配置される導光
板２２が押圧部材２８により押圧された状態でバックライトフレーム２４の内部に保持さ
れるように構成することによって、振動が激しい環境下で液晶表示装置を使用したとして
も、バックライトフレーム２４の内部で導光板２２が動くのを抑制することができるので
、バックライトフレーム２４の内部における導光板２２の位置ずれを抑制することができ
る。また、導光板２２に一時的な振動が生じたとしても、振動が収まれば、導光板２２が
振動前の位置に戻る。これにより、導光板２２と点状光源２１との間の間隔Ｇ１が設定値
から外れることに起因して、輝度が変化するという不都合が発生するのを抑制することが
できる。また、第１実施形態では、バックライトフレーム２４の内部で導光板２２が動く
のを抑制することができるので、導光板２２が点状光源２１に接触することに起因する点
状光源２１の破損も抑制することができる。さらに、第１実施形態では、バックライトフ
レーム２４の内部で導光板２２が動くのを抑制することができるので、導光板２２とバッ
クライトフレーム２４とが擦れることに起因する導光板２２の摩耗や異音の発生も抑制す
ることができる。このように、第１実施形態では、バックライトフレーム２４の内部で導
光板２２が動くことに起因する不具合の発生を抑制することができる。
【００３２】
また、第１実施形態では、上記のように、導光板２２を押圧するための押圧部材２８を
２つ設けることによって、導光板２２が２つの押圧部材２８により押圧されるので、バッ
クライトフレーム２４の内部で導光板２２が動くのをさらに抑制することができる。この
場合、２つの押圧部材２８を、導光板２２を挟んで互いに対向するように同一線Ｌ１上に
配置することによって、押圧部材２８により導光板２２が押圧されたとしても、その押圧
部材２８の押圧力により導光板２２が傾くように動くのを抑制することができる。
【００３３】
また、第１実施形態では、上記のように、弾性変形可能なラバーからなる押圧部材２８
を用いるとともに、その押圧部材２８に弾性力が発生するようにバックライトフレーム２
４（後面側フレーム２６）と導光板２２との間に押圧部材２８を挟み込むことによって、
容易に、押圧部材２８に発生した弾性力により導光板２２を押圧することができる。
【００３４】
また、第１実施形態では、上記のように、弾性変形可能なラバーからなる押圧部材２８
を用いて導光板２２を保持することによって、押圧部材２８を緩衝材として機能させるこ
とができるので、導光板２２に強い外力が加わるのを抑制することができる。これにより
、導光板２２が破損するのを抑制することができる。
【００３５】
また、第１実施形態では、上記のように、導光板２２の凸部２２ｃに押圧部材２８の凹
部２８ａを嵌め込むことによって、容易に、押圧部材２８を導光板２２に対して固定する
ことができる。特に、弾性変形可能なラバーからなる押圧部材２８を用いる場合には、押
圧部材２８の凹部２８ａと導光板２２の凸部２２ｃとの間に嵌合隙間が存在しないように
、導光板２２の凸部２２ｃに押圧部材２８の凹部２８ａを嵌め込むことができる。
【００３６】
（第２実施形態）
図３は、本発明の第２実施形態によるバックライトユニットを前面側から見た場合の平
面図である（前面側フレームおよび光学シートを取り外した状態）。次に、図３を参照し
て、第２実施形態によるバックライトユニット４０の構造について説明する。
【００３７】
この第２実施形態によるバックライトユニット４０は、図３に示すように、ＦＰＣ４１
ａに実装された複数の点状光源４１と、導光板４２と、光学シート（図示せず）とを含ん
でいる。なお、点状光源４１は、本発明の「光源」の一例である。また、図示しない第２
実施形態の光学シートは、上記第１実施形態の光学シート２３と同様の構造を有しており
、後述する導光板４２の光出射面４２ｂ上に配置されている。
【００３８】
点状光源４１は、ＬＥＤからなるとともに、後述する導光板４２の光入射面４２ａと対
向するように配置されている。また、点状光源４１と導光板４２の光入射面４２ａとの間
には、点状光源４１と導光板４２との接触を抑制するための間隔Ｇ２が設けられている。
なお、点状光源４１と導光板４２の光入射面４２ａとの間の間隔Ｇ２は、点状光源４１と
導光板４２の光入射面４２ａとができるだけ接近するように設定されている。
【００３９】
また、導光板４２は、アクリル樹脂などの透明材料からなるとともに、点状光源４１か
らの光を面状の光に変換して出射する機能を有している。この導光板４２は、所定の側端
面によって構成された光入射面４２ａと、前面側の表面によって構成された光出射面４２
ｂとを有している。また、導光板４２は、光入射面４２ａが点状光源４１と対向し、光出
射面４２ｂが液晶表示パネル（図示せず）の後面側の表面と対向するように配置されてい
る。
【００４０】
また、上記した点状光源４１、導光板４２および光学シート（図示せず）は、バックラ
イトフレーム４３の内部に収納されている。このバックライトフレーム４３は、前面側フ
レーム（図示せず）と、後面側フレーム４４と、中枠フレーム４５とによって構成されて
いる。前面側フレームは、図示しないが、上記第１実施形態の前面側フレーム２５と同様
の構造を有しており、導光板４２の前面側に配置されている。また、後面側フレーム４４
は、導光板４２の後面側に配置されている。また、中枠フレーム４５は、後面側フレーム
４４の内部に配置されている。なお、バックライトフレーム４３は、本発明の「フレーム
」の一例である。
【００４１】
後面側フレーム４４は、金属板からなるとともに、その金属板を前面側に向かって垂直
に折り曲げることによって形成された側部４４ａを有している。この後面側フレーム４４
の側部４４ａは、上記したバックライトユニット４０を構成する部材（点状光源４１、導
光板４２および光学シート（図示せず））が収納される領域を囲むように配置されている
。そして、点状光源４１が実装されたＦＰＣ４１ａは、後面側フレーム４４の所定の側部
４４ａの内側面に取り付けられている。また、導光板４２は、後面側フレーム４４の底部
４４ｂ上に載置されている。中枠フレーム４５は、コの字形状を有する樹脂部材からなる
。このコの字形状の中枠フレーム４５は、後面側フレーム４４の所定の側部４４ａ（点状
光源４１が取り付けられる側部４４ａ）以外の側部４４ａの内側面に沿って延びるように
形成されている。
【００４２】
ここで、第２実施形態では、バックライトフレーム４３の内部に配置される導光板４２
は、弾性変形可能なラバーからなる２つの押圧部材４６により押圧された状態でバックラ
イトフレーム４３の内部に保持されている。具体的には、２つの押圧部材４６は、導光板
４２を挟んで互いに対向するように同一線Ｌ２上に配置されている。また、押圧部材４６
は、図３中のＢ方向に弾性力が発生するように中枠フレーム４５と導光板４２との間に挟
み込まれている。これにより、バックライトフレーム４３の内部に配置された導光板４２
は、押圧部材４６の弾性力によりＢ方向に押圧された状態となっている。
【００４３】
また、第２実施形態の押圧部材４６には、凸部４６ａが形成されている。また、導光板
４２には、押圧部材４６の凸部４６ａが嵌め込まれる凹部４２ｃが形成されている。そし
て、押圧部材４６の凸部４６ａが導光板４２の凹部４２ｃに嵌め込まれることによって、
押圧部材４６が導光板４２に対して固定されている。また、第２実施形態では、中枠フレ
ーム４５に、押圧部材４６の凸部４６ａとは反対側の部分４６ｂが嵌め込まれる凹部４５
ａが形成されている。そして、押圧部材４６の部分４６ｂが中枠フレーム４５の凹部４５
ａに嵌め込まれることによって、押圧部材４６が中枠フレーム４５に対して固定されてい
る。また、第２実施形態では、押圧部材４６の凸部４６ａと導光板４２の凹部４２ｃとの
間に嵌合隙間が存在しないように、押圧部材４６の凸部４６ａが導光板４２の凹部４２ｃ
に嵌め込まれているとともに、押圧部材４６の部分４６ｂと中枠フレーム４５の凹部４５
ａとの間に嵌合隙間が存在しないように、押圧部材４６の部分４６ｂが中枠フレーム４５
の凹部４５ａに嵌め込まれている。
【００４４】
第２実施形態では、上記のように構成することによって、上記第１実施形態と同様、バ
ックライトフレーム４３の内部で導光板４２が動くことに起因する不具合の発生を抑制す
ることができる。
【００４５】
図４は、第２実施形態の第１変形例によるバックライトユニットを前面側から見た場合
の平面図である（前面側フレームおよび光学シートを取り外した状態）。次に、図４を参
照して、第２実施形態の第１変形例によるバックライトユニット５０について説明する。
【００４６】
この第２実施形態の第１変形例では、図４に示すように、上記第２実施形態の構成にお
いて、導光板４２を押圧するための押圧部材４６に、凸部４６ａに変えて、凹部４６ｃが
形成されているとともに、導光板４２には、凹部４２ｃに変えて、押圧部材４６の凹部４
６ｃが嵌め込まれる凸部４２ｄが形成されている。そして、第２実施形態の第１変形例で
は、押圧部材４６の凹部４６ｃが導光板４２の凸部４２ｄに嵌め込まれることによって、
押圧部材４６が導光板４２に対して固定されている。
【００４７】
なお、第２実施形態の第１変形例のその他の構造は、上記第２実施形態と同様である。
【００４８】
上記のように構成された第２実施形態の第１変形例では、上記第２実施形態と同様の効
果を得ることができる。
【００４９】
図５は、第２実施形態の第２変形例によるバックライトユニットを前面側から見た場合
の平面図である（前面側フレームおよび光学シートを取り外した状態）。次に、図５を参
照して、第２実施形態の第２変形例によるバックライトユニット６０について説明する。
【００５０】
この第２実施形態の第２変形例では、図５に示すように、上記第２実施形態の構成にお
いて、押圧部材４６が導光板４２の一方側にのみ設けられている。さらに、導光板４２の
他方側には、凸部４２ｅが形成されているとともに、中枠フレーム４５には、導光板４２
の凸部４２ｅが嵌め込まれる凹部４５ｂが形成されている。そして、第２実施形態の第２
変形例では、導光板４２の凸部４２ｅが中枠フレーム４５の凹部４５ｂに嵌め込まれるこ
とによって、導光板４２の他方側が中枠フレーム４５に支持されている。なお、導光板４
２の凸部４２ｅと中枠フレーム４５の凹部４５ｂとの間には、公差や組立性などを考慮し
て間隔Ｇ３が設けられている。
【００５１】
なお、第２実施形態の第２変形例のその他の構造は、上記第２実施形態と同様である。
【００５２】
第２実施形態の第２変形例では、上記のように構成することによって、部品点数（押圧
部材）を削減することができる。ただし、第２実施形態の第２変形例では、隙間Ｇ３を設
けた分、バックライトフレーム４３の内部での導光板４２の動きが大きくなる。
【００５３】
（第３実施形態）
図６は、本発明の第３実施形態によるバックライトユニットを前面側から見た場合の平
面図である（前面側フレームおよび光学シートを取り外した状態）。次に、図６を参照し
て、第３実施形態によるバックライトユニット７０の構造について説明する。
【００５４】
この第３実施形態によるバックライトユニット７０は、図６に示すように、ＦＰＣ７１
ａに実装された１つの点状光源７１と、２つの導光板７２および７３と、光学シート（図
示せず）とを含んでいる。なお、点状光源７１は、本発明の「光源」の一例である。また
、導光板７２および７３は、それぞれ、本発明の「第１導光板」および「第２導光板」の
一例である。また、図示しない第３実施形態の光学シートは、上記第１実施形態の光学シ
ート２３と同様の構造を有しており、後述する導光板７３の光出射面７３ｂ上に配置され
ている。
【００５５】
点状光源７１は、ＬＥＤからなるとともに、後述する導光板７２の光入射面７２ａと対
向するように配置されている。また、点状光源７１と導光板７２の光入射面７２ａとの間
には、点状光源７１と導光板７２との接触を抑制するための間隔Ｇ４が設けられている。
なお、点状光源７１と導光板７２の光入射面７２ａとの間の間隔Ｇ４は、点状光源７１と
導光板７２の光入射面７２ａとができるだけ接近するように設定されている。
【００５６】
また、導光板７２は、アクリル樹脂などの透明材料からなるとともに、点状光源７１か
らの光を線状の光に変換して出射する機能を有している。この導光板７２は、三角形状に
形成されているとともに、所定の側端面によって構成された光入射面７２ａおよび光出射
面７２ｂを有している。また、導光板７２は、光入射面７２ａが点状光源７１と対向し、
光出射面７２ｂが後述する導光板７３の光入射面７３ａと対向するように配置されている
。また、導光板７２の光出射面７２ｂと導光板７３の光入射面７３ａとの間には、導光板
７２と導光板７３との接触を抑制するための間隔Ｇ５が設けられている。なお、導光板７
２の光出射面７２ｂと導光板７３の光入射面７３ａとの間の間隔Ｇ５は、導光板７２の光
出射面７２ｂと導光板７３の光入射面７３ａとができるだけ接近するように設定されてい
る。
【００５７】
また、導光板７３は、アクリル樹脂などの透明材料からなるとともに、導光板７２から
の光を面状の光に変換して出射する機能を有している。この導光板７３は、所定の側端面
によって構成された光入射面７３ａと、前面側の表面によって構成された光出射面７３ｂ
とを有している。また、導光板７３は、光入射面７３ａが導光板７２の光出射面７２ｂと
対向し、光出射面７３ｂが液晶表示パネル（図示せず）の後面側の表面と対向するように
配置されている。
【００５８】
また、上記した点状光源７１、導光板７２および光学シート（図示せず）は、バックラ
イトフレーム７４の内部に収納されている。このバックライトフレーム７４は、前面側フ
レーム（図示せず）と、後面側フレーム７５と、中枠フレーム７６とによって構成されて
いる。前面側フレームは、図示しないが、上記第１実施形態の前面側フレーム２５と同様
の構造を有しており、導光板７２および７３の前面側に配置されている。また、後面側フ
レーム７５は、導光板７２および７３の後面側に配置されている。また、中枠フレーム７
６は、後面側フレーム７４の内部に配置されている。なお、バックライトフレーム７４は
、本発明の「フレーム」の一例である。
【００５９】
後面側フレーム７５は、金属板からなるとともに、その金属板を前面側に向かって垂直
に折り曲げることによって形成された側部７５ａを有している。この後面側フレーム７５
の側部７５ａは、上記したバックライトユニット７０を構成する部材（点状光源７１、導
光板７２、導光板７３および光学シート（図示せず））が収納される領域を囲むように配
置されている。そして、点状光源７１が実装されたＦＰＣ７１ａは、後面側フレーム７５
の所定の側部７５ａの内側面に取り付けられている。また、導光板７２および７３は、後
面側フレーム７５の底部７５ｂ上に載置されている。中枠フレーム７６は、樹脂部材から
なるとともに、後面側フレーム７５の側部７５ａの内側面に沿って枠状に形成されている
。また、中枠フレーム７６は、導光板７２の傾斜部７２ｃを支持するための支持部７６ａ
を有している。
【００６０】
ここで、第３実施形態では、バックライトフレーム７４の内部に配置される導光板７３
は、弾性変形可能なラバーからなる２つの押圧部材７７により押圧された状態でバックラ
イトフレーム７４の内部に保持されている。具体的には、２つの押圧部材７７は、導光板
７３を挟んで互いに対向するように同一線Ｌ３上に配置されている。また、押圧部材７７
は、図６中のＣ方向に弾性力が発生するように中枠フレーム７６と導光板７３との間に挟
み込まれている。これにより、バックライトフレーム７４の内部に配置された導光板７３
は、押圧部材７７の弾性力によりＣ方向に押圧された状態となっている。
【００６１】
また、第３実施形態の押圧部材７７には、凸部７７ａが形成されている。また、導光板
７３には、押圧部材７７の凸部７７ａが嵌め込まれる凹部７３ｃが形成されている。そし
て、押圧部材７７の凸部７７ａが導光板７３の凹部７３ｃに嵌め込まれることによって、
押圧部材７７が導光板７３に対して固定されている。また、第３実施形態では、中枠フレ
ーム７６に、押圧部材７７の凸部７７ａとは反対側の部分７７ｂが嵌め込まれる凹部７６
ｂが形成されている。そして、押圧部材７７の部分７７ｂが中枠フレーム７６の凹部７６
ｂに嵌め込まれることによって、押圧部材７７が中枠フレーム７６に対して固定されてい
る。また、第３実施形態では、押圧部材７７の凸部７７ａと導光板７３の凹部７３ｃとの
間に嵌合隙間が存在しないように、押圧部材７７の凸部７７ａが導光板７３の凹部７３ｃ
に嵌め込まれているとともに、押圧部材７７の部分７７ｂと中枠フレーム７６の凹部７６
ｂとの間に嵌合隙間が存在しないように、押圧部材７７の部分７７ｂが中枠フレーム７６
の凹部７６ｂに嵌め込まれている。
【００６２】
また、第３実施形態では、バックライトフレーム７４の内部に配置される導光板７２も
、弾性変形可能なラバーからなる２つの押圧部材７８により押圧された状態でバックライ
トフレーム７４の内部に保持されている。具体的には、２つの押圧部材７８は、それぞれ
、導光板７３の導光板７２側の２つの角部を覆うように配置されている。また、押圧部材
７８は、導光板７２と導光板７３との間に挟み込まれた部分７８ａを有している。この押
圧部材７８の部分７８ａは、導光板７２と導光板７３との間に挟み込まれることによって
、図６中のＤ方向に弾性力が発生している。そして、導光板７２は、押圧部材７８の弾性
力によりＤ方向に押圧された状態となっている。また、導光板７２が押圧部材７８により
Ｄ方向に押圧されることによって、導光板７２の傾斜部７２ｃが中枠フレーム７６の支持
部７６ａに当接している。
【００６３】
また、押圧部材７８の部分７８ａは、導光板７３の導光板７２側の角部に形成された段
差部７３ｄの凹み部に嵌め込まれているとともに、押圧部材７８の部分７８ａとは反対側
の部分７８ｂは、中枠フレーム７６に形成された凹部７６ｃに嵌め込まれている。さらに
、２つの押圧部材７８のうちの一方には、導光板７２の先端部７２ｄに対応した形状を有
する凹部７８ｃが形成されている。そして、導光板７２の先端部７２ｄは、一方の押圧部
材７８の凹部７８ｃに嵌め込まれることによって支持されている。
【００６４】
第３実施形態では、上記のように、バックライトフレーム７４の内部に配置される導光
板７２（７３）が押圧部材７８（７７）により押圧された状態でバックライトフレーム７
４の内部に保持されるように構成することによって、振動が激しい環境下で液晶表示装置
を使用したとしても、バックライトフレーム７４の内部で導光板７２（７３）が動くのを
抑制することができる。また、導光板７２（７３）に一時的な振動が生じたとしても、振
動が収まれば、導光板７２（７３）が振動前の位置に戻る。これにより、バックライトフ
レーム７４の内部における導光板７２の位置ずれを抑制することができるので、導光板７
２と点状光源７１との間の間隔Ｇ４が設定値から外れることに起因して、輝度が変化する
という不都合が発生するのを抑制することができる。また、第３実施形態では、バックラ
イトフレーム７４の内部で導光板７２（７３）が動くのを抑制することができるので、導
光板７２が点状光源７１に接触することに起因する点状光源７１の破損を抑制することが
でき、かつ、導光板７２と導光板７３とが接触することに起因する導光板７２（７３）の
破損を抑制することができる。さらに、第３実施形態では、バックライトフレーム７４の
内部で導光板７２（７３）が動くのを抑制することができるので、導光板７２（７３）と
バックライトフレーム７４とが擦れることに起因する導光板７２（７３）の摩耗や異音の
発生も抑制することができる。このように、第３実施形態では、バックライトフレーム７
４の内部で導光板７２（７３）が動くことに起因する不具合の発生を抑制することができ
る。
【００６５】
また、第３実施形態では、上記のように、導光板７３の角部を覆うように押圧部材７８
を配置することによって、点状光源７１からの光が導光板７３の角部に直接入射するのを
抑制することができる。これにより、導光板７３の光入射面７３ａ以外の部分に光が入射
することに起因して、画像が乱れるという不都合が発生するのを抑制することができる。
【００６６】
なお、第３実施形態のその他の効果は、上記第１実施形態と同様である。
【００６７】
図７は、第３実施形態の変形例によるバックライトユニットを前面側から見た場合の平
面図である（前面側フレームおよび光学シートを取り外した状態）。次に、図７を参照し
て、第３実施形態の変形例によるバックライトユニット８０について説明する。
【００６８】
この第３実施形態の変形例では、図７に示すように、上記第３実施形態の構成において
、導光板７２を押圧するための押圧部材７８の部分７８ａが、導光板７２に形成された段
差部７２ｅの凹み部に嵌め込まれている。
【００６９】
なお、第３実施形態の変形例のその他の構造は、上記第３実施形態と同様である。
【００７０】
上記のように構成された第３実施形態の変形例では、上記第３実施形態と同様の効果を
得ることができる。
【００７１】
（第４実施形態）
図８は、本発明の第４実施形態によるバックライトユニットを前面側から見た場合の平
面図である（前面側フレームおよび光学シートを取り外した状態）。図９は、図８に示し
たバックライトユニットに含まれる押圧部材の周辺の拡大図である。次に、図８および図
９を参照して、第４実施形態によるバックライトユニット９０の構造について説明する。
【００７２】
この第４実施形態によるバックライトユニット９０は、図８に示すように、ＦＰＣ９１
ａに実装された複数の点状光源９１と、導光板９２と、光学シート（図示せず）とを含ん
でいる。なお、点状光源９１は、本発明の「光源」の一例である。また、図示しない第４
実施形態の光学シートは、上記第１実施形態の光学シート２３と同様の構造を有しており
、後述する導光板９２の光出射面９２ｂ上に配置されている。
【００７３】
点状光源９１は、ＬＥＤからなるとともに、後述する導光板９２の光入射面９２ａと対
向するように配置されている。また、点状光源９１と導光板９２の光入射面９２ａとの間
には、点状光源９１と導光板９２との接触を抑制するための間隔Ｇ６が設けられている。
なお、点状光源９１と導光板９２の光入射面９２ａとの間の間隔Ｇ６は、点状光源９１と
導光板９２の光入射面９２ａとができるだけ接近するように設定されている。
【００７４】
また、導光板９２は、アクリル樹脂などの透明材料からなるとともに、点状光源９１か
らの光を面状の光に変換して出射する機能を有している。この導光板９２は、所定の側端
面によって構成された光入射面９２ａと、前面側の表面によって構成された光出射面９２
ｂとを有している。また、導光板９２は、光入射面９２ａが点状光源９１と対向し、光出
射面９２ｂが液晶表示パネル（図示せず）の後面側の表面と対向するように配置されてい
る。
【００７５】
また、上記した点状光源９１、導光板９２および光学シート（図示せず）は、バックラ
イトフレーム９３の内部に収納されている。このバックライトフレーム９３は、前面側フ
レーム（図示せず）と、後面側フレーム９４と、中枠フレーム９５とによって構成されて
いる。前面側フレームは、図示しないが、上記第１実施形態の前面側フレーム２５と同様
の構造を有しており、導光板９２の前面側に配置されている。また、後面側フレーム９４
は、導光板９２の後面側に配置されている。また、中枠フレーム９５は、後面側フレーム
９４の内部に配置されている。なお、バックライトフレーム９３は、本発明の「フレーム
」の一例である。
【００７６】
後面側フレーム９４は、金属板からなるとともに、その金属板を前面側に向かって垂直
に折り曲げることによって形成された側部９４ａを有している。この後面側フレーム９４
の側部９４ａは、上記したバックライトユニット９０を構成する部材（点状光源９１、導
光板９２および光学シート（図示せず））が収納される領域を囲むように配置されている
。そして、点状光源９１が実装されたＦＰＣ９１ａは、後面側フレーム９４の所定の側部
９４ａの内側面に取り付けられている。また、導光板９２は、後面側フレーム９４の底部
９４ｂ上に載置されている。中枠フレーム９５は、コの字形状を有する樹脂部材からなる
。このコの字形状の中枠フレーム９５は、後面側フレーム９４の所定の側部９４ａ（点状
光源９１が取り付けられる側部９４ａ）以外の側部９４ａの内側面に沿って延びるように
形成されている。
【００７７】
ここで、第４実施形態では、図８および図９に示すように、バックライトフレーム９３
の内部に配置される導光板９２は、中枠フレーム９５に一体的に形成された２つの押圧部
材９５ａにより押圧された状態でバックライトフレーム９３の内部に保持されている。具
体的には、中枠フレーム９５には、導光板９２を挟んで対向するように配置された２つの
凹部９５ｂが形成されている。また、中枠フレーム９５の２つの凹部９５ｂの内面には、
それぞれ、Ｅ方向に弾性変形可能なように、凹部９５ｂの内面から突出する突出片が１つ
ずつ一体的に形成されている。そして、上記した押圧部材９５ａは、中枠フレーム９５の
凹部９５ｂの内面に一体的に形成された突出片によって構成されている。
【００７８】
また、導光板９２には、中枠フレーム９５の凹部９５ｂに挿入される凸部９２ｃが形成
されている。そして、導光板９２の凸部９２ｃは、中枠フレーム９５の押圧部材９５ａの
弾性力によりＥ１方向に押圧されている。すなわち、バックライトフレーム９３の内部に
配置された導光板９２は、中枠フレーム９５の押圧部材９５ａの弾性力によりＥ１方向に
押圧された状態となっている。
【００７９】
また、第４実施形態では、導光板９２が中枠フレーム９５の押圧部材９５ａにより押圧
されることによって、導光板９２の凸部９２ｃと中枠フレーム９５の凹部９５ｂの所定の
内側面９５ｃ（以下、当接部９５ｃという）とが当接した状態に保持されている。なお、
導光板９２の凸部９２ｃと中枠フレーム９５の当接部９５ｃとが当接した状態では、点状
光源９１と導光板９２の光入射面９２ａとの間の間隔Ｇ６が設定値の許容範囲内となる。
【００８０】
第４実施形態では、上記のように、バックライトフレーム９３の内部に配置される導光
板９２が押圧部材９５ａにより押圧された状態でバックライトフレーム９３の内部に保持
されるように構成することによって、上記第１実施形態と同様、バックライトフレーム９
３の内部で導光板９２が動くことに起因する不具合の発生を抑制することができる。
【００８１】
また、第４実施形態では、上記のように、導光板９２を押圧するための押圧部材９５ａ
を、バックライトフレーム９３（中枠フレーム９５）に一体的に形成することによって、
押圧部材を別途設ける必要がないので、部品点数が増加するのを抑制することができる。
【００８２】
また、第４実施形態では、上記のように、押圧部材９５ａにより押圧された導光板９２
の凸部９２ｃが中枠フレーム９５の当接部９５ｃに当接することにより、点状光源９１と
導光板９２との間の間隔Ｇ６が設定値の許容範囲内となるように構成することによって、
容易に、点状光源９１と導光板９２との間の間隔Ｇ６を設定値の許容範囲内にすることが
できる。
【００８３】
図１０は、第４実施形態の変形例によるバックライトユニットを前面側から見た場合の
平面図である（前面側フレームおよび光学シートを取り外した状態）。図１１は、図１０
に示したバックライトユニットに含まれる押圧部材の周辺の拡大図である。次に、図１０
および図１１を参照して、第４実施形態の変形例によるバックライトユニット１００につ
いて説明する。
【００８４】
この第４実施形態の変形例では、図１０および図１１に示すように、上記第４実施形態
の構成において、中枠フレーム９５の２つの凹部９５ｂの内面に、それぞれ、押圧部材（
突出片）９５ａに加えて、Ｅ方向に弾性変形可能な押圧部材９５ｃがさらに１つずつ一体
的に形成されている。そして、第４実施形態の変形例では、導光板９２は、その凸部９２
ｃが中枠フレーム９５の押圧部材９５ａおよび９５ｃに挟み込まれた状態で、中枠フレー
ム９５の押圧部材９５ａおよび９５ｃにより押圧されている。なお、中枠フレーム９５の
押圧部材９５ａは、導光板９２の凸部９２ｃをＥ１方向に押圧している一方、中枠フレー
ム９５の押圧部材９５ｃは、導光板９２の凸部９２ｃをＥ２方向に押圧している。
【００８５】
なお、第４実施形態の変形例のその他の構造は、上記第４実施形態と同様である。
【００８６】
上記のように構成された第４実施形態の変形例では、上記第４実施形態と同様の効果を
得ることができる。ただし、第４実施形態の変形例では、上記第４実施形態に比べて、導
光板９２が点状光源９１側に動きやすくなる。
【００８７】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００８８】
たとえば、上記第１〜第３実施形態では、ラバーからなる押圧部材を用いたが、本発明
はこれに限らず、ラバー以外の材料からなる押圧部材を用いてもよい。
【００８９】
また、上記第４実施形態では、中枠フレームに一体的に形成された押圧部材により導光
板を押圧するようにしたが、本発明はこれに限らず、上記第１〜第３実施形態と同様、ラ
バーからなる押圧部材を別途設けるとともに、その押圧部材により導光板を押圧するよう
にしてもよい。また、ラバー以外の材料からなる押圧部材を用いてもよい。
【図面の簡単な説明】
【００９０】
【図１】本発明の第１実施形態によるバックライトユニットを用いた液晶表示装置（表示装置）の分解斜視図である。
【図２】図１に示した第１実施形態によるバックライトユニットを前面側から見た場合の平面図である。
【図３】本発明の第２実施形態によるバックライトユニットを前面側から見た場合の平面図である。
【図４】第２実施形態の第１変形例によるバックライトユニットを前面側から見た場合の平面図である。
【図５】第２実施形態の第２変形例によるバックライトユニットを前面側から見た場合の平面図である。
【図６】本発明の第３実施形態によるバックライトユニットを前面側から見た場合の平面図である。
【図７】第３実施形態の変形例によるバックライトユニットを前面側から見た場合の平面図である。
【図８】本発明の第４実施形態によるバックライトユニットを前面側から見た場合の平面図である。
【図９】図８に示したバックライトユニットに含まれる押圧部材の周辺の拡大図である。
【図１０】第４実施形態の変形例によるバックライトユニットを前面側から見た場合の平面図である。
【図１１】図１０に示したバックライトユニットに含まれる押圧部材の周辺の拡大図である。
【図１２】従来の液晶表示装置に用いられるバックライトユニットの構造を示した平面図である。
【符号の説明】
【００９１】
２１、４１、７１、９１  点状光源（光源）
２２、４２、９２  導光板
２２ｃ、４２ｄ、４６ａ、７７ａ  凸部
２４、４３、７４、９３  バックライトフレーム（フレーム）
２８、４６、７７、７８、９５ａ、９５ｃ  押圧部材
２８ａ、４２ｃ、４６ｃ、７３ｃ  凹部
７２  導光板（第１導光板）
７３  導光板（第２導光板）
９５ｃ  当接部
【図１】
2008078010.tif 000003
【図２】
2008078010.tif 000004
【図３】
2008078010.tif 000005
【図４】
2008078010.tif 000006
【図５】
2008078010.tif 000007
【図６】
2008078010.tif 000008
【図７】
2008078010.tif 000009
【図８】
2008078010.tif 000010
【図９】
2008078010.tif 000011
【図１０】
2008078010.tif 000012
【図１１】
2008078010.tif 000013
【図１２】
2008078010.tif 000014